(57)【要約】【課題】上蓋の自動開閉により、ゴミ箱に触ることがなく、自動的な二重の浄化作用により、ゴミを殺菌、消臭する、優れた知能浄化ゴミ箱を提供する。【解決手段】このゴミ箱１では、上蓋１６が中空箱体１０の頂端面に駆動装置１３により開閉可能に設置され、感知センサー１５の感知機能とマイコンによる駆動装置１３の制御によって、自動開閉される。また、中空箱体１０の内部には、紫外線ライト１４ａ、オゾン発生器１４ｂ、マイナスイオン発生器１４ｃの一つ又は二つ以上の組合せからなる浄化装置１４が設置され、マイコンの制御により、中空箱体１０の内部を浄化する。【選択図】図１
0003146752.tif 000002
【実用新案登録請求の範囲】
【請求項１】
頂部に中空槽（１１ｂ）を、側壁に開口（１１ａ）をそれぞれ有する中空箱体（１０）と、
前記中空箱体（１０）の開口（１１ａ）から引き出し可能に挿入され、前記中空箱体内に設置される、外側の面に握り部（２１）を有する箱座（２０）と、
前記中空箱体（１０）の頂端面に開閉可能に設置され、前記中空箱体（１０）の中の駆動装置（１３）により開閉駆動される上蓋（１６）と、
前記中空箱体（１０）の内部に設置され、前記中空箱体（１０）の内部を浄化する浄化装置（１４）と、
前記中空箱体（１０）の頂部縁部に付設され、物体を感知する感知センサー（１５）、及び操作キー（１２）と、
前記中空箱体（１０）の各機能部と電気的に接続され、前記各機能部を制御するプリント基板（１８）と、
を備えたことを特徴とする知能浄化ゴミ箱。
【請求項２】
浄化装置（１４）は紫外線ライト（１４ａ）、オゾン発生器（１４ｂ）、マイナスイオン発生器（１４ｃ）の一つ又は二つ以上の組合せからなる請求項１に記載の知能浄化ゴミ箱。
【請求項３】
上蓋（１６）は中空箱体（１０）に回転軸を介して回動可能に結合されて、当該回転軸に回転車輪（１６１）が固定され、駆動装置（１３）はモータ駆動のベルト伝動装置（１３１）からなり、前記回転車輪（１６１）と前記ベルト伝動装置（１３１）が作動連結される請求項１に記載の知能浄化ゴミ箱。
【請求項４】
中空箱体（１０）の内側底面に開口（１１ａ）方向に延びる長導条（１７）が設けられ、前記箱座（２０）の外側底面に前記長導条（１７）に係合可能な長溝槽（２４）が設けられて、前記箱座（２０）を安定させる手段が構成される請求項１に記載の知能浄化ゴミ箱。
【請求項５】
感知センサー（１５）は赤外線感知センサー又は静電感知センサーのいずれか一方が採用される請求項１に記載の知能浄化ゴミ箱。
【請求項６】
中空箱体（１０）の中壁に構造強度を高めるための横向きの条状物（１０ａ）と縦向きの条状物（１０ｂ）が形成される請求項１に記載の知能浄化ゴミ箱。
【請求項７】
握り部（２１）は凹槽（２２）と前記凹槽（２２）の内縁から延びて、手で握ることが可能な握り片（２３）とからなり、併せて意匠的デザインが付与される請求項１に記載の知能浄化ゴミ箱。
【考案の詳細な説明】
【技術分野】
【０００１】
本考案は知能浄化ゴミ箱に関し、特に、マイクロコンピューターの処理技術と感知センサーを利用し、上蓋駆動装置を制御して上蓋を自動開閉し、浄化装置の運転を制御してゴミを自動浄化する知能浄化ゴミ箱に関する。
【背景技術】
【０００２】
従来のゴミ箱は、ごみの臭気の発散とハエや虫の発生を防ぐために、ゴミ箱の上に蓋を取り付けて臭気を止め、ハエや虫の侵入を防いでいる。その後、蓋を開けるときに、手がごみに直接接触してウイルスや細菌が付着するのを防止するために、紫外線殺菌装置を有する蓋付きの容器が発明され、これが特許文献1により提案されている。この容器は、頂部に開口を有する中空箱体と、中空箱体の上に結合されて開口を開閉する蓋体とを備え、蓋体と紫外線殺菌装置が結合される。紫外線殺菌装置は上に向かう蓋付け容器の内部に設置される1個以上の紫外線ライトと、蓋体の開閉状態を感知する感知センサーを備えて構成される。このようにして感知センサーが蓋体の閉状態を感知すると、紫外線ライトの動作がスタートし、容器の中に収納されたごみと物の殺菌処理を行い、細菌と害虫の発生と異臭の発散を有効に防ぐ。これにより、きれいな空気と清潔な環境を保つ所期の効果を達成することができる。
【０００３】
【特許文献１】台湾２００８年２月１日特開第２００８０６５４７号「紫外線殺菌装置を有する蓋付け容器」
【考案の開示】
【考案が解決しようとする課題】
【０００４】
従来のゴミ箱や特許文献１の蓋付け容器より、ゴミ袋を取り出し、ごみを捨てるときは、使用者は先ず蓋体を開け、そして手で内箱の頂縁を挟んで、指を箱の中に延ばし、しっかりと壁面に当てることによって、内箱を容易に取ることができる。しかしながら、このとき、指が箱の中のごみに触れて汚くなり、使用者は手を清潔にすることに注意しなければ、病菌に感染しやすくなるという問題がある。
【０００５】
また、上記の特許文献１の蓋付け容器では、単に紫外線装置でごみを殺菌するので、その効果は大きくなく、しかも、箱の中の上層のごみは紫外線を遮ってしまうので、下層の死角や暗いところでウイルスや細菌が次々と発生するという問題がある。
【０００６】
本考案は、このような従来の課題に鑑みなされたもので、マイクロコンピューターと感知センサーを利用して、上蓋を自動的に開閉し、二重の浄化作用でゴミを自動的に浄化する、優れた知能浄化ゴミ箱を提供することを目的とする。
【課題を解決するための手段】
【０００７】
上記目的を達成するために、本考案の知能浄化ゴミ箱は、次のような特徴を備える。
［１］この中空箱体の側壁に開口（１１ａ）を設置し、その頂端面に中空槽（１１ｂ）を設置し、また、この箱体の頂縁に操作キー（１２）を有し、内部にプリント基板（１８）を隠している。中空箱体（１０）の頂縁に物体を感知する感知センサー設置する。中空箱体（１０）の中にプリント基板（１８）と電気接続の駆動装置（１３）と浄化装置である。上記の中空槽（１１ｂ）の中で、駆動装置（１３）により、開き、閉じることを控える上蓋（１６）である。上記の中空箱体（１０）の開口（１１ａ）から入りや引きの箱座（２０）であり、その側壁に手に握らせる握り部（２１）を有する。
［２］上記の浄化装置（１４）は以下の一つ、或いは、二つ以上の組合、紫外線ライト（１４ａ）、オゾン発生器（１４ｂ）、マイナスイオン発生器（１４ｃ）を特徴とする請求項１の記載の智能浄化ゴミ箱。
［３］上記の駆動装置（１３）は減速のモーターからベルト輪組（１３１）を引き、このベルト輪組が再び上蓋（１６）の後端の転軸の回転車輪（１６１）と取り合わせることを特徴とする請求項１の記載の智能浄化ゴミ箱。
［４］上記の中空箱体（１０）の中の底面に箱座（２０）に安定させる長導条（１７）を設置し、箱座（２０）の底面に上記の長導条と取り合わせる長溝槽（２４）を設置することを特徴とする請求項１の記載の智能浄化ゴミ箱。
［５］上記の感知センサー（１５）は以下の一つ、赤外線感知センサー、静電感知センサーを特徴とする請求項１の記載の智能浄化ゴミ箱。
［６］上記の箱体（１０）の中壁に結構の強さを強める横向の条状物（１０ａ）、縦向の条状物（１０ｂ）を設置することを特徴とする請求項１の記載の智能浄化ゴミ箱。
［７］上記の握り部（２１）はデザインした凹槽（２２）、凹槽の内縁から伸べり、手に握らせる握り片（２３）から構成されていることを特徴とする請求項１の記載の智能浄化ゴミ箱。
【考案の効果】
【０００８】
本考案の知能浄化ゴミ箱は、上記の各構成により、次のような作用効果を有する。
［１］本考案の智能浄化ゴミ箱（１）がマイクロコンピューターの感知の技術をとり、感知センサー（１５）の感知により、駆動装置（１２）をスタートし、上蓋（１６）が自動的に開き、閉じ、手がゴミ箱を触る必要がなく、ごみを捨てることができ、病菌が手についている確率を低下し、また、同時に浄化装置（１４）の運転を控え、無駄な運転することを妨げる。
［２］本考案の浄化装置（１４）は紫外線体と（１４ａ）により、容器のごみに対して、殺菌し、空気を消毒する。オゾン発生器（１４ｂ）、マイナスイオン発生器（１４ｃ）により、紫外線ライト（１４ａ）が照れないところに対して、消毒、殺菌、除塵、除湿を行い、全面の浄化の効果を達成する。だから、細菌の発生のせいで、ごみが異臭を放つことを妨げる。また、細菌の死体が発散する毒素を分解し、細菌の毒素の二次汚染を妨げる。
［３］上記の紫外線ライト（１４ａ）、オゾン発生器（１４ｂ）、マイナスイオン発生器（１４ｃ）は操作キー（１２）により、選べ、単一素子を使いすぎてから、過熱で壊れることを妨げる。
［４］本考案は独特な箱座（２０）の構造を有し、中空箱体（１０）の開口（１１ａ）の側面から入り、或いは、引く。且つ、ゴミ袋を取り出し、或いは、ごみを捨てるとき、手が汚れになることを妨げる。使いやすく、デザインが人性化である。中空箱体の底面の長導条（１７）は箱座の長溝槽（２４）と取り合わせ、箱座を安定でき、入り、引くときがスムースに動くことができる。
【考案を実施するための最良の形態】
【０００９】
次に、本考案を実施するための最良の形態について図面を用いて説明する。図１は知能浄化ゴミ箱の全体構成を示している。図１に示すように、知能浄化ごみ箱１は、中空箱体１０、箱座２０、上蓋１６、浄化装置１４及び操作キー１２、感知センサー１５、制御部（プリント基板１８）を備えて構成され、マイクロコンピューターと感知センサーを利用した、上蓋の自動開閉機能とごみの自動浄化機能とを有する。
【００１０】
中空箱体１０は頂部に中空槽１１ｂを有し、一側壁に開口１１ａを有する。この場合、中空箱体１０の中壁の構造強度を高めるために、横向きの条状物１０ａと縦向きの条状物１０ｂが形成される。これらの条状物１０ａ、１０ｂにより、中空箱体１０は変形しにくい構造となる。箱座２０は中空箱体１０の開口１１ａから引き出し可能に挿入され、中空箱体１０内に設置される。この場合、中空箱体１０の内側底面に開口１１ａ方向に延びる長導条１７が設けられ、箱座２０の外側底面にその長導条１７に係合可能な長溝槽２４が設けられて、箱座２０を安定させる手段が構成される。また、この箱座２０の外側の面、すなわち側壁には手で握ることのできる握り部２１が設けられる。この握り部２１は箱座２０の側壁に凹槽２２が形成され、この凹槽２２の内縁から延びて、手で握ることが可能な握り片２３が形成されてなり、全体に意匠的デザインが付与される。なお、この箱座２０は耐用性がよいＡＢＳプラスチックを採用して製造され、その新潮のデザインの凹槽２２とともに、箱座２０のデザインはきれいなものとなる。また、握り部２１は上記のデザインに限定されるものもではなく、ハンドルにしてもよい。
【００１１】
上蓋１６は中空箱体１０の頂端面に開閉可能に設置され、中空箱体１０の中空槽１１ｂの中に設置され、プリント基板１８と電気的に接続された駆動装置１３により開閉駆動される。この場合、上蓋１６は後端が中空箱体１０に回転軸を介して回動可能に結合されて、当該回転軸に回転車輪１６１が固定される。駆動装置１３は減速機付きのモータにより回転駆動されるベルトとプーリとからなるベルト伝動装置１３１が採用され、このベルト伝動装置１３１と上蓋１６の回転車輪１６１が作動連結される。なお、駆動装置１３はベルト伝導装置１３１に代えて、複数の歯車を組合せてなる歯車装置が採用されてもよい。この場合、上蓋１６の回転軸に歯車が固定され、この歯車と減速機付きのモータにより回転駆動される歯車が作動連結されて構成される。
【００１２】
浄化装置１４は、中空箱体１０の内部に設置され、プリント基板１８と電気的に接続される。この浄化装置１４で、中空箱体１０の内部を浄化する。この場合、浄化装置１４は紫外線ライト１４ａ、オゾン発生器１４ｂ、マイナスイオン発生器１４ｃの一つ又は二つ以上の組合せから構成される。また、中空箱体１０の頂部縁部には操作キー１２が設置され、その内部にプリント基板１８が隠されている。この構成により、使用者は操作キー１２で紫外線、放電などの方式で、細菌、細菌の死体を分解してから毒素を消滅し、細菌の毒素の二次汚染を妨げることができる。また、紫外線ライト１４ａ、オゾン発生器１４ｂを順番にすることにより、単一素子の使いすぎから、過熱で壊れる問題を未然に解決することができる。オゾン発生器１４ｂは安定な濃度のオゾンを発生し、他面で、使う電気量が少なく、電気を節約することができる。マイナスイオン発生器１４ｃは静電の処理により、電子が空気の分子とぶつかって、イオンを発生し、負に荷電したイオンは下に拡散し、箱座２０とごみの中に溢れる（図４参照）。このようにして空気の陽イオン（埃、微粒など）と広く結合して、沈んでしまい、飛ばされず、水分と結合するから、除湿の作用を有し、カビの発生を妨げ、ごみの腐敗を遅らせて、ごみを置く時間を長く延ばすことができ、すぐにごみを捨てなくても、臭気を発散しにくくして、使用者の負担を軽減することができる。
【００１３】
感知センサー１５は中空箱体１０の頂部縁部に付設され、物体を感知する。このセンサー１５が物体を感知すると、プリント基板１８に信号を発する。この感知センサー１５は知能浄化ゴミ箱１の置く所によって、適当な感知センサーを選ぶことが望ましい。例えば、赤外線感知センサー、静電感知センサーなどの感知センサーで、これらのセンサーにより、物体がゴミ箱に近づいたかどうかを感知する。感知センサー１５により物体がゴミ箱に近づいたことを感知されると、プリント基板１８に信号を発し、駆動装置１３はプリント基板の集積回路から電気を得て、運転をスタートする。
【００１４】
プリント基板１８は中空箱体１０の内部に設置され、中空箱体１０の各機能部と電気的に接続されて、各機能部を制御する。このような感知センサーとマイクロコンピューターを使った感知技術は装置の自動化に有効な役割を果たし、上蓋１６を自動的に開閉し、自動的な二重の浄化作用でゴミを浄化する機能を実現する。
【００１５】
図２に浄化装置１４の作用を示している。図２に示すように、浄化装置１４の紫外線ライト１４ａは容器１０の内部のごみに殺菌と空気消毒を行い、オゾン発生器１４ｂ、マイナスイオン発生器１４ｃは紫外線ライト１４ａを照らすことができない所に対して、殺菌を行う。このようにすることで、大きな範囲で殺菌消毒など浄化の効果があり、ごみに一斉に殺菌作用を行い、ごみの細菌による環境に与える汚染を確実に低下させ、ハエの発生、異臭の発散を防ぎ、病菌の感染を減少させることができる。これにより、使用者は健康な環境の下で暮らすことができる。
【００１６】
図３は感知センサー１５の作用に基づく上蓋１６の開動作を示している。使用者が物体を知能浄化ゴミ箱１に近づけると、感知センサー１５から回路により、プリント基板１８に信号を与え、駆動装置１３がスタートして、上蓋１６を自動的に開く。この状態でゴミを中空槽１１ｂに置くと、ゴミは箱座２０に落ちる。
【００１７】
図４に感知センサー１５の作用に基づく上蓋１６の閉動作、及び浄化装置１４によるごみの浄化動作を示している。図４に示すように、感知センサー１５が物体が容器の上方に離れたことを感知すると、カウントダウンし、物体が近づくことを感知することがなければ、プリント基板１８は信号を発し、駆動装置１３が反転動作して、上蓋１６を自動的に閉じる。これにより使用者はごみをゴミ箱１に捨てるときに、ゴミ箱１に触る必要がない。また、浄化装置１４は運転をスタートしてから、箱座２０の中のごみの浄化作用を行い、殺菌と消臭の効果を発揮する。浄化装置１４の運転中に、感知センサー１５が箱座２０が中空箱体１０から引き離されるのを感知すると、感知センサー１５からプリント基板１８に信号を与え、浄化装置１４の電源が自動的に消されて、浄化装置１４の運転が停止される。これによりオゾンの洩れを妨げる。また、上蓋１６が開かれると、浄化装置１４は同様に電源が消されて、運転を停止する。そして、上蓋１６が閉じられると、浄化装置１４は自動的に通電されて運転を開始する。感知センサーとマイクロコンピューターを使った技術により、安全、便利、清潔の目的を達成することができる。
【００１８】
図５に中空箱体１０から箱座２０を取り出す動作を示している。図５に示すように、ゴミ袋を取り出したいときは、使用者は指を箱座２０の前壁の凹槽２２の中に入れ、しっかり握り片２３を抓んでから、箱座２０を外に引くと、中空箱体１０の側壁の開口１１ａから箱座２０を取り出すことができる。このとき、中空箱体１０の内側底面に突状の長導条１７が形成され、箱座２０の底面に長導条１７に対応する長溝槽２４が形成されて、これら長導条１７と長溝槽２４が合わされているから、中空箱体１０の箱座２０は安定し、箱座２０を中空箱体１０に入りたり引き出したりするときにスムーズに動かすことができる。
【００１９】
以上説明したように、この知能浄化ゴミ箱１によれば、次のような作用効果を有する。
（１）マイクロコンピューターの制御に基づいて、感知センサー１５の感知により上蓋１６の駆動装置１２を作動させ、上蓋１６を自動的に開閉するので、手でゴミ箱を触ることなしに、ごみをゴミ箱に捨てることができ、病菌が手に付着する確率を低下させることができる。また、同時に浄化装置１４の運転を制御できるので、無駄な運転を防止することができる。
（２）浄化装置１４の紫外線ライト１４ａにより、ゴミ箱１内のごみを殺菌し、空気を消毒することができ、浄化装置１４のオゾン発生器１４ｂ、マイナスイオン発生器１４ｃにより、紫外線ライト１４ａを照射することができないところに対して、消毒、殺菌、除塵、除湿を行い、全面的に浄化の効果を達成することができるので、細菌の発生によりごみが異臭を放つことを妨げることができ、細菌の死体が発散する毒素を分解して、細菌の毒素の二次汚染を防ぐことができる。
（３）紫外線ライト１４ａ、オゾン発生器１４ｂ、マイナスイオン発生器１４ｃは、操作キー１２により選んで使用することで、単一素子の使いすぎから、過熱で壊れることを防止することができる。
（４）箱座２０を中空箱体１０の側面の開口１１ａから入れたり引き出したりする独特な箱座２０の構造により、使いやすく、美観に優れたデザインで、ゴミ袋を取り出し、ごみを捨てるときに、手が汚れるのを防止することができる。特に、中空箱体１０の底面の長導条１７と箱座２０の長溝槽２４との組み合わせにより、箱座２０を安定させることができ、箱座２０を入りたり引いたりする動作をスムーズに行うことができる。
【００２０】
本考案は、図面に示す好ましい実施の形態に基づいて説明されてきたが、当業者であれば、本考案の思想を逸脱することなく容易に各種の変更、改変し得ることは明らかである。本考案はそのような変更例も含むものである。
【図面の簡単な説明】
【００２１】
【図１】本考案の一実施の形態における知能浄化ゴミ箱の構成を示す斜視図
【図２】同ゴミ箱の浄化作用を示す正面図
【図３】同ゴミ箱の感知センサーの作用に基づく上蓋の開動作を示す斜視図
【図４】同感知センサーの作用に基づく上蓋の閉動作、及び浄化装置のゴミの浄化動作を示す断面図
【図５】同ゴミ箱の中空箱体から箱座を取り出す動作を示す斜視図
【符号の説明】
【００２２】
１  智能浄化ゴミ箱
１０  中空箱体
１０ａ、１０ｂ  横向条状物、縦向条状物
１１ａ  開口
１１ｂ  中空槽
１２  操作キー
１３  駆動装置
１３１  ベルト輪組
１４  浄化装置
１４ａ  紫外線ライト
１４ｂ  オゾン発生器
１４ｃ  マイナスイオン発生器
１５  感知センサー
１６  上蓋
１６１  回転車輪
１７  長導条
１８  プリント基板
２０  箱座
２１  握り部
２２  デザイン凹槽
２３  握り片
２４  長溝槽
３０  ゴミ袋
【図１】
0003146752.tif 000003
【図２】
0003146752.tif 000004
【図３】
0003146752.tif 000005
【図４】
0003146752.tif 000006
【図５】
0003146752.tif 000007